(57)【要約】      （修正有）【課題】画像が印刷されたフィルタが表示部に貼られた状態において、表示部が表示状態でフィルタの画像が消え、表示部が非表示状態でフィルタの画像が現れるようにする情報処理装置、情報生成プログラム及び表示制御プログラムを提供する。【解決手段】情報処理サーバ１は、携帯端末２から受け付けた画像情報に基づいて、透過光によって画像情報の内容に視認されるよう印刷装置３においてフィルム上に印刷してフィルタ３０とするためのフィルタ印刷情報を生成するフィルタ印刷情報生成手段と、フィルタ３０を貼付する携帯端末２の表示部２３に表示される内容が、フィルタ３０が貼付されていない表示部２３に携帯端末２において生成される表示情報に基づいて表示される内容と同等となるように、表示情報を変換するためのフィルタ変換情報を生成するフィルタ変換情報生成手段とを有する。【選択図】図１
2014232953.tif 000002
【特許請求の範囲】
【請求項１】
受け付けた画像情報に基づいて、透過光によって前記画像情報の内容に視認されるよう印刷装置においてフィルム上に印刷してフィルタとするための印刷情報を生成する印刷情報生成手段と、
前記フィルタを貼付する装置の表示部に表示される内容が、前記フィルタが貼付されていない前記表示部に当該装置において生成される表示情報に基づいて表示される内容と同等となるように、前記表示情報を変換するフィルタ変換情報を生成する画像情報生成手段とを有する情報処理装置。
【請求項２】
コンピュータを、
受け付けた画像情報に基づいて、透過光によって前記画像情報の内容に視認されるよう印刷装置においてフィルム上に印刷してフィルタとするための印刷情報を生成する印刷情報生成手段と、
前記フィルタを貼付する装置の表示部に表示される内容が、前記フィルタが貼付されていない前記表示部に当該装置において生成される表示情報に基づいて表示される内容と同等となるように、前記表示情報を変換するフィルタ変換情報を生成する画像情報生成手段として機能させるための情報生成プログラム。
【請求項３】
コンピュータを、
表示部を表示制御するための表示情報を生成する生成手段と、
フィルタが貼付された前記表示部において表示される表示内容が、前記フィルタが貼付されていない表示部において前記表示情報に基づいて表示される内容と同等となるように、前記表示情報を変換する変換手段と、
前記変換手段によって変換された前記表示情報に基づいて、前記フィルタが貼付された表示部を表示制御する表示制御手段として機能させるための表示制御プログラム。
【請求項４】
前記フィルタの位置と、前記フィルタが貼付された前記表示部に表示される画像の位置とを一致させる手段をさらに有する請求項３に記載の表示制御プログラム。
【発明の詳細な説明】
【技術分野】
【０００１】
本発明は、情報処理装置、情報生成プログラム及び表示制御プログラムに関する。
【背景技術】
【０００２】
従来の技術として、印刷物の印刷内容を解読できないようにする情報処理装置が提案されている（例えば、特許文献１参照）。
【０００３】
特許文献１に開示された情報処理装置は、ドット又は複数のドットのグループ毎に配色をランダムに変えたフィルタを用意し、印刷情報を受け付けると、当該印刷情報に対してフィルタの特性と補色関係にある色へ色変換処理を施して、色変換処理後の印刷情報を印刷する。これにより、印刷物にフィルタを重ねることで印刷物の内容が解読され、フィルタがない状態では印刷内容が解読されない。
【先行技術文献】
【特許文献】
【０００４】
【特許文献１】特開２００２−１５６９０４号公報
【発明の概要】
【発明が解決しようとする課題】
【０００５】
本発明の目的は、画像が印刷されたフィルタが表示部に貼られた状態において、表示部が表示状態でフィルタの画像が消え、表示部が非表示状態でフィルタの画像が現れるようにする情報処理装置、情報生成プログラム及び表示制御プログラムを提供することにある。
【課題を解決するための手段】
【０００６】
本発明の一態様は、上記目的を達成するため、以下の情報処理装置、情報生成プログラム及び表示制御プログラムを提供する。
【０００７】
［１］受け付けた画像情報に基づいて、透過光によって前記画像情報の内容に視認されるよう印刷装置においてフィルム上に印刷してフィルタとするための印刷情報を生成する印刷情報生成手段と、
前記フィルタを貼付する装置の表示部に表示される内容が、前記フィルタが貼付されていない前記表示部に当該装置において生成される表示情報に基づいて表示される内容と同等となるように、前記表示情報を変換するフィルタ変換情報を生成する画像情報生成手段とを有する情報処理装置。
【０００８】
［２］コンピュータを、
受け付けた画像情報に基づいて、透過光によって前記画像情報の内容に視認されるよう印刷装置においてフィルム上に印刷してフィルタとするための印刷情報を生成する印刷情報生成手段と、
前記フィルタを貼付する装置の表示部に表示される内容が、前記フィルタが貼付されていない前記表示部に当該装置において生成される表示情報に基づいて表示される内容と同等となるように、前記表示情報を変換するフィルタ変換情報を生成する画像情報生成手段として機能させるための情報生成プログラム。
【０００９】
［３］コンピュータを、
表示部を表示制御するための表示情報を生成する生成手段と、
フィルタが貼付された前記表示部において表示される表示内容が、前記フィルタが貼付されていない表示部において前記表示情報に基づいて表示される内容と同等となるように、前記表示情報を変換する変換手段と、
前記変換手段によって変換された前記表示情報に基づいて、前記フィルタが貼付された表示部を表示制御する表示制御手段として機能させるための表示制御プログラム。
【００１０】
［４］前記フィルタの位置と、前記フィルタが貼付された前記表示部に表示される画像の位置とを一致させる手段をさらに有する前記［３］に記載の表示制御プログラム。
【発明の効果】
【００１１】
請求項１−３に係る発明によれば、画像が印刷されたフィルタが表示部に貼られた状態において、表示部が表示状態でフィルタの画像が消え、表示部が非表示状態でフィルタの画像が現れるようにすることができる。
【００１２】
請求項４に係る発明によれば、フィルタと表示部の位置を合わせることができる。
【図面の簡単な説明】
【００１３】
【図１】図１は、実施の形態に係る情報処理システムの構成の一例を示す概略図である。
【図２】図２は、実施の形態に係る情報処理サーバの構成例を示すブロック図である。
【図３】図３は、実施の形態に係る携帯端末の構成例を示すブロック図である。
【図４】図４は、フィルタ変換情報及びフィルタの関係の基本原理を説明するための図である。
【図５】図５（ａ）及び（ｂ）は、キャリブレーション動作を説明するための概略図である。
【発明を実施するための形態】
【００１４】
［実施の形態］
（情報処理システムの構成）
図１は、実施の形態に係る情報処理システムの構成の一例を示す概略図である。
【００１５】
この情報処理システム５は、情報処理サーバ１、携帯端末２と、印刷装置３とをネットワーク４によって互いに通信可能に接続することで構成される。なお、携帯端末２及び印刷装置３は、１台を図示しているが、複数台接続されるものであってもよい。
【００１６】
情報処理サーバ１は、情報処理装置であって、情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。情報処理サーバ１は、携帯端末２から画像情報の印刷要求を受け付けると、画像情報から印刷装置３においてフィルタ３０に印刷するためのフィルタ印刷情報及び携帯端末２に画像を表示するためのフィルタ変換情報を生成し、印刷装置３にフィルタ印刷情報を送信するとともに、携帯端末２にフィルタ変換情報を送信するものである。
【００１７】
携帯端末２は、携帯電話やタブレット型端末等の情報処理装置であって、情報を処理するための機能を有するＣＰＵやフラッシュメモリ等の電子部品を備える。携帯端末２は、表示部２３上に貼付する柄付のフィルタ３０の印刷を要求するため、画像情報を情報処理サーバ１に送信するものである。また、フィルタ３０を貼付した後に、表示部２３に適切に画像を表示するために用いられるフィルタ変換情報を情報処理サーバ１から受信する。
【００１８】
印刷装置３は、少なくとも印刷機能を有し、さらにスキャナ、コピー、ファクシミリの機能を有する複合機であって、情報を処理するための機能を有するＣＰＵや不揮発性メモリ等の電子部品を備える。印刷装置３は、情報処理サーバ１からフィルタ印刷情報を受信し、フィルタ印刷情報に基づいて未印刷のフィルム上に柄等を印刷してフィルタ３０を作成する。
【００１９】
ネットワーク４は、高速通信が可能な通信ネットワークであり、例えば、イントラネットやＬＡＮ（Ｌｏｃａｌ  Ａｒｅａ  Ｎｅｔｗｏｒｋ）等の私設の通信網又はインターネット等の公衆の通信網であり、有線、無線は問わない。
【００２０】
（情報処理サーバの構成）
図２は、実施の形態に係る情報処理サーバ１の構成例を示すブロック図である。
【００２１】
情報処理サーバ１は、ＣＰＵ等から構成され、各部を制御するとともに、各種のプログラムを実行する制御部１０と、フラッシュメモリ等の記憶媒体から構成され情報を記憶する記憶部１１と、ネットワーク４を介して外部と通信する通信部１２とを備える。
【００２２】
制御部１０は、後述するフィルタ情報生成プログラム１１０を実行することで、情報受付手段１００、フィルタ印刷情報生成手段１０１、フィルタ変換情報生成手段１０２及び情報出力手段１０３等として機能する。
【００２３】
情報受付手段１００は、携帯端末２から受け付けた情報を、画像情報１１１及び端末装置情報１１２として記憶部１１に保存する。なお、端末装置情報１１２は、携帯端末２の表示部２３の画面サイズ、解像度等の項目を含むものである。
【００２４】
フィルタ印刷情報生成手段１０１は、画像情報１１１及び端末装置情報１１２に基づいてフィルタ印刷情報１１３を生成する。なお、フィルタ３０は、一例として、特定の色の光の透過率が高いインクを用いて印刷されたものであって、フィルタ印刷情報１１３は画像情報１１１の色情報に基づいて変換されて生成される。
【００２５】
フィルタ変換情報生成手段１０２は、画像情報１１１及び端末装置情報１１２に基づいてフィルタ変換情報１１４を生成する。なお、フィルタ３０が特定の色の光の透過率が高いインクを用いて印刷されたものである場合、フィルタ変換情報１１４は、フィルタ３０に対して特定の色以外が透過する光の強さを特定の色が透過する光の強さと同等となるように、携帯端末２の表示部２３において表示される画像の色調及び光量を変換するための情報である。
【００２６】
情報出力手段１０３は、フィルタ印刷情報生成手段１０１が生成したフィルタ印刷情報１１３を印刷装置３へ、フィルタ変換情報生成手段１０２が生成したフィルタ変換情報１１４を携帯端末２へ通信部１２を介して出力する。
【００２７】
記憶部１１は、制御部１０を上述した各手段１００−１０３として動作させるフィルタ情報生成プログラム１１０、画像情報１１１、端末装置情報１１２、フィルタ印刷情報１１３及びフィルタ変換情報１１４等を記憶する。
【００２８】
（携帯端末の構成）
図３は、実施の形態に係る携帯端末２の構成例を示すブロック図である。
【００２９】
携帯端末２は、ＣＰＵ等から構成され、各部を制御するとともに、各種のプログラムを実行する制御部２０と、フラッシュメモリ等の記憶媒体から構成され情報を記憶する記憶部２１と、ネットワーク４を介して外部と通信する通信部２２と、文字や画像等を表示する表示部２３と、携帯端末２を操作するための操作部２４とを備える。
【００３０】
制御部２０は、後述する情報生成依頼プログラム２１０を実行することで、情報生成依頼手段２００として機能し、後述する情報表示制御プログラム２１１を実行することで情報受信手段２０１、表示情報生成手段２０２、表示情報変換手段２０３及び表示制御手段２０４等として機能する。
【００３１】
情報生成依頼手段２００は、情報処理サーバ１に画像情報２１２及び端末装置情報２１３を送信するとともに、フィルタ印刷情報１１３及びフィルタ変換情報１１４の生成を依頼する。
【００３２】
情報受信手段２０１は、情報処理サーバ１が生成したフィルタ変換情報１１４を受信して、フィルタ変換情報２１４として記憶部２１に保存する。
【００３３】
表示情報生成手段２０２は、携帯端末２の動作に応じて予め定められた文字や画像を表示部２３に表示するための表示情報を生成する。
【００３４】
表示情報変換手段２０３は、表示情報生成手段２０２が生成した表示情報の色調及び光量をフィルタ変換情報２１４に基づいて変換する。
【００３５】
表示制御手段２０４は、表示情報変換手段２０３が変換した表示情報を表示するよう表示部２３を制御する。
【００３６】
記憶部２１は、制御部２０を上述した情報生成依頼手段２００として動作させる情報生成依頼プログラム２１０、各手段２０１−２０４として動作させる情報表示制御プログラム２１１、画像情報２１２、端末装置情報２１３及びフィルタ変換情報２１４等を記憶する。
【００３７】
（情報処理システムの動作）
次に、本実施の形態の作用を、（１）基本動作、（２）生成動作、（３）キャリブレーション動作に分けて説明する。
【００３８】
（１）基本動作
まず、利用者は携帯端末２の操作部２４を操作して、記憶部２１の画像情報２１２から所望の画像を選択し、当該画像をフィルム上に印刷してフィルタ３０を作成するよう要求する。
【００３９】
携帯端末２の情報生成依頼手段２００は、利用者の要求に応じて選択された画像に対応する画像情報２１２と、端末装置情報２１３とを情報処理サーバ１に送信するとともに、フィルタ印刷情報１１３及びフィルタ変換情報１１４の生成を依頼する。
【００４０】
情報処理サーバ１の情報受付手段１００は、画像情報２１２と端末装置情報２１３とともに、情報の生成依頼を受け付けて記憶部１１に画像情報１１１と端末装置情報１１２として保存する。
【００４１】
次に、フィルタ印刷情報生成手段１０１はフィルタ印刷情報１１３を、フィルタ変換情報生成手段１０２はフィルタ変換情報１１４を以下に説明するように生成する。
【００４２】
（２）生成動作
フィルタ印刷情報生成手段１０１は、画像情報１１１及び端末装置情報１１２に基づいてフィルタ印刷情報１１３を生成する。まず、端末装置情報１１２に基づいてフィルタ３０のサイズ等を決定し、端末装置情報１１２の表示部のプロファイル及び画像情報１１１の色情報に基づいてインクの色を決定してフィルタ印刷情報１１３を生成する。
【００４３】
フィルタ変換情報生成手段１０２は、画像情報１１１及び端末装置情報１１２に基づいてフィルタ変換情報１１４を生成する。一例として、表示部２３からフィルタ３０に対して照射されると特定の色の光が第１の透過率で、特定の色以外の色の光が第１の透過率より低い第２の透過率で透過するが、特定の色以外の色の光が透過する光の強さを特定の色の光が透過する光の強さと同等となるように、携帯端末２の表示部２３において表示される画像の色調及び光量を変換するための情報としてフィルタ変換情報１１４を生成する。
【００４４】
次に、情報出力手段１０３は、フィルタ印刷情報生成手段１０１が生成したフィルタ印刷情報１１３を印刷装置３へ、フィルタ変換情報生成手段１０２が生成したフィルタ変換情報１１４を携帯端末２へ通信部１２を介して出力する。
【００４５】
印刷装置３は、フィルタ印刷情報１１３を受信し、フィルタ印刷情報１１３に基づいてフィルム上に印刷を実行することでフィルタ３０を作成する。
【００４６】
携帯端末２の利用者は、携帯端末２の表示部２３に作成されたフィルタ３０を貼付する。
【００４７】
また、携帯端末２の情報受信手段２０１はフィルタ変換情報１１４を受信して記憶部２１にフィルタ変換情報２１４として保存し、表示情報変換手段２０３は、表示情報生成手段２０２が生成した表示情報をフィルタ変換情報２１４に基づいて変換する。
【００４８】
表示制御手段２０４は、表示情報変換手段２０３が変換した表示情報を表示するよう表示部２３を制御する。
【００４９】
以下に、表示制御手段２０４により表示部２３に表示される画像と、フィルタ３０との関係を説明する。
【００５０】
図４は、フィルタ変換情報２１４及びフィルタ３０の関係の基本原理を説明するための図である。
【００５１】
携帯端末２の表示部２３には、第１の画像２０４ａ１及び第２の画像２０４ａ２を含む画面が表示される。第１の画像２０４ａ１はフィルタ変換情報２１４に基づいて第１の画像２０４ａ１が変換された結果表示される画像であり、第２の画像２０４ａ２は表示情報生成手段２０２が生成した表示情報に基づいて表示される画像である。
【００５２】
また、フィルタ３０には、特定の色の光の透過率が他の色の光の透過率に比べて高い性質を有するインクを用いてフィルタ画像３００ａが印刷される。つまり、透過光によって画像の内容が利用者に視認されるようフィルム上に印刷する。
【００５３】
つまり、第１の画像２０４ａ１及び第２の画像２０４ａ２は、フィルタ３０のフィルタ画像３００ａを透過することで第２の画像２０４ａ２の元の画像である表示情報生成手段２０２が生成した画像２０４ａ３の色となるように調整されるものである。
【００５４】
なお、携帯端末２の利用者に視認される仮想的な画面２３ｒの画像２０４ａ３は、理想的には表示情報生成手段２０２が生成した表示情報に基づいて表示される画像であるが、フィルタ３０の設計によっては表示情報生成手段２０２が生成した表示情報に基づいて表示される画像から明るさが低減されたものとなる。
【００５５】
また、上記した説明は、表示部２３とフィルタ３０とが精度よく位置合わせされた場合に成立するものであるが、利用者がフィルタ３０を必ずしも精度よく表示部２３上に貼付できるとも限らないため、以下に表示部２３とフィルタ３０とのキャリブレーションについて説明する。
【００５６】
（３）キャリブレーション動作
図５（ａ）及び（ｂ）は、キャリブレーション動作を説明するための概略図である。
【００５７】
図５（ａ）に示すように、表示部２３とフィルタ３０とが精度よく位置合わせされていない場合、携帯端末２の利用者に視認される画面２３ｒは、操作内容を示すメッセージ２０４ｂと、キャリブレーションに用いる画像であるテストパターン２０４ｃと、テストパターン２０４ｃを表示部２３内で移動させるためのカーソル２０４ｄと、フィルタ３０上に印刷されたフィルタ画像３００ａとを有する。
【００５８】
利用者は、テストパターン２０４ｃがフィルタ画像３００ａに重なるようにカーソル２０４ｄを操作する。
【００５９】
操作の結果、図５（ｂ）に示すように、表示部２３とフィルタ３０とが精度よく位置合わせされた場合、携帯端末２の利用者に視認される画面２３ｒから、テストパターン２０４ｃのうち、フィルタ画像３００ａに対応する部分が消える。
【００６０】
なお、フィルタ画像３００ａに対応する部分が消えるように色調や明るさを調整してもよい。
【００６１】
（実施の形態の効果）
上記した実施の形態によると、画像が印刷されたフィルタ３０が表示部２３に貼られた状態において、表示部２３が表示状態でフィルタ３０の画像が消え、表示部２３が非表示状態でフィルタ３０の画像が現れるようにすることができ、携帯端末２の操作・使用時には表示部２３の表示を妨げず、被操作・未使用時にはフィルタのデザインを表示できる。
【００６２】
また、携帯端末２の利用者は、フィルタ３０に印刷する画像や柄を自由に選ぶことができる。
【００６３】
また、フィルタ３０が貼られていない場合は、表示部２３に表示された画像はフィルタ変換情報２１４に基づいたものとなり、フィルタ３０を所持していない利用者に対して表示内容を秘密にすることができ、セキュリティ性を確保できる。
【００６４】
［他の実施の形態］
なお、本発明は、上記実施の形態に限定されず、本発明の趣旨を逸脱しない範囲で種々な変形が可能である。例えば、既存のフィルタをスキャナ等で光学走査して、当該既存のフィルタに対応したフィルタ変換情報を生成してもよい。これにより一般に発売されているフィルタを購入してきて、上記した実施例と同様の効果を奏することができる。
【００６５】
上記実施の形態では制御部１０の各手段１００〜１０３の機能及び制御部２０の各手段２００〜２０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００６６】
１     情報処理サーバ
２     携帯端末
３     印刷装置
４     ネットワーク
５     情報処理システム
１０   制御部
１１   記憶部
１２   通信部
２０   制御部
２１   記憶部
２２   通信部
２３   表示部
２３ｒ 画面
２４   操作部
３０   フィルタ
１００ 情報受付手段
１０１ フィルタ印刷情報生成手段
１０２ フィルタ変換情報生成手段
１０３ 情報出力手段
１１０ フィルタ情報生成プログラム
１１１ 画像情報
１１２ 端末装置情報
１１３ フィルタ印刷情報
１１４ フィルタ変換情報
２００ 情報生成依頼手段
２０１ 情報受信手段
２０２ 表示情報生成手段
２０３ 表示情報変換手段
２０４ 表示制御手段
２０４ａ１−２０４ａ３      画像
２０４ｂ      メッセージ
２０４ｃ      テストパターン
２０４ｄ      カーソル
２１０ 情報生成依頼プログラム
２１１ 情報表示制御プログラム
２１２ 画像情報
２１３ 端末装置情報
２１４ フィルタ変換情報
３００ａ      フィルタ画像
【図１】
2014232953.tif 000003
【図２】
2014232953.tif 000004
【図３】
2014232953.tif 000005
【図４】
2014232953.tif 000006
【図５】
2014232953.tif 000007